(57)【特許請求の範囲】
【請求項１】
第１，第２通信装置間において１対１で無線信号により通信を行うもので、同一時刻には一方からの搬送波の送出だけを許可し、
通信が確立している場合は、相手の搬送波送出が停止した後所定時間内に自身が搬送波の送出を開始することで前記通信装置間における通信の確立状態を継続し、
前記第１通信装置は、通信が確立していない場合は、前記所定時間を超える搬送波の無送出状態を確認した後、自身による搬送波の送出が可能となるプロトコルを採用する通信システムにおいて、
前記第１通信装置は、通信が未確立の状態から最初に送信するデータ中に、当該送信の完了から搬送波の送出を停止するまでの時間を規定する情報を配置し、
前記第２通信装置は、前記情報に基づいて、受信の完了後に搬送波の送出を開始するタイミングを決定することを特徴とする通信システム。
【請求項２】
第１，第２通信装置間において１対１で無線信号により通信を行うもので、同一時刻には一方からの搬送波の送出だけを許可し、
通信が確立している場合は、相手の搬送波送出が停止した後所定時間内に自身が搬送波の送出を開始することで前記通信装置間における通信の確立状態を継続するプロトコルを採用する通信システムにおいて、
前記第１通信装置は、通信が未確立の状態から最初に送信するデータ中に、当該送信の完了から搬送波の送出を停止するまでの時間を規定する情報を配置し、
前記第２通信装置は、前記情報に基づいて、受信の完了後に搬送波の送出を開始するタイミングを決定すると共に、最初に送信するデータ中に、当該送信の完了から搬送波の送出を停止するまでの時間を規定する情報を配置し、
前記第１通信装置も、前記第２通信装置より送信された情報に基づいて、受信の完了後に搬送波の送出を開始するタイミングを決定することを特徴とする通信システム。
【請求項３】
第１，第２通信装置間において１対１で無線信号により通信を行うもので、同一時刻には一方からの搬送波の送出だけを許可し、
通信が確立している場合は、相手の搬送波送出が停止した後所定時間内に自身が搬送波の送出を開始することで前記通信装置間における通信の確立状態を継続するプロトコルを採用する通信システムにおいて、
前記第１通信装置は、通信が未確立の状態から最初に送信するデータ中に、当該送信の完了から前記第２通信装置が搬送波の送出を開始するまでの時間を規定する情報を配置すると共に、当該送信の完了後、前記時間の経過前に搬送波の送出を停止し、
前記第２通信装置は、前記情報に基づいて、受信の完了後に搬送波の送出を開始するタイミングを決定し、最初に送信するデータ中に、当該送信の完了から前記第１通信装置が搬送波の送出を開始するまでの時間を規定する情報を配置すると共に、当該送信の完了後、前記時間の経過前に搬送波の送出を停止し、
前記第１通信装置も、前記第２通信装置より送信される情報に基づいて受信の完了後に搬送波の送出を開始するタイミングを決定することを特徴とする通信システム。
【請求項４】
通信が未確立の状態において何れかの通信装置が相手よりも先に搬送波の送出を開始する場合、
前記通信装置は、前記決定した搬送波送出を開始するタイミングに相当する時間と、前記プロトコルにより規定されている搬送波の送出後に送信を開始しなければならない最大時間との和の期間内にデータを受信したか否かを監視し、データを受信しなかった場合に搬送波の送出を開始することを特徴とする請求項１乃至３の何れかに記載の通信システム。
【請求項５】
請求項１乃至４の何れかに記載の通信システムに使用されることを特徴とする通信装置。
【発明の詳細な説明】
【技術分野】
【０００１】
本発明は、通信装置間で無線信号を用いて非接触方式の近接通信を行うシステム、及びその通信システムに使用される通信装置に関する。
【背景技術】
【０００２】
無線信号を用いて非接触方式の近接通信を行う規格の１つにＮＦＣ（Near Field Communication）通信があり、国際標準規格であるＩＳＯ／ＩＥＣ１８０９２においてＮＦＣＩＰ−１として開示されている。この規格にはアクティブモードとパッシブモードとの２つがあるが、アクティブモードにおいては、通信開始時における初期衝突の発生を回避したり、また、２つの通信装置間で通信が確立している状態での第３者装置による割り込みを防止するため、搬送波のＯＮ，ＯＦＦ制御を行うようになっている。従って、アクティブモードに対応する通信装置には、搬送波が送信されているか否かを検出する回路部を備える必要がある。
例えば、特許文献１には、上記と同様の通信規格におけるアクティブモードを実施する場合に発生する「隠れ端末」問題に対処するため、電磁波の検出レベルを判定する回路を設ける構成が開示されている。
【特許文献１】特開２００４−２００８４１号公報
【発明の開示】
【発明が解決しようとする課題】
【０００３】
ところで、必ずしも上記規格を完全に遵守することを目的とせず、基本的なプロトコルは上記規格に準拠しつつ、２つの通信装置の間で実質的な通信（即ち、必要なデータの交換）が妨害されずに行なわれることだけを考えるならば、初期衝突の回避を図ることは絶対必要ではなくなる。その場合、通信装置の内部構成がより簡単になることが期待できるが、従来、このような設計思想に基づく通信システムは提案されていない。
本発明は上記事情に鑑みてなされたものであり、その目的は、通信装置間で実質的な通信を行うのに問題がないように、通信装置の構成をより簡単にすることができる通信システム、及びその通信システムに使用される通信装置を提供することにある。
【課題を解決するための手段】
【０００４】
請求項１記載の通信システムによれば、第１，第２通信装置間で無線信号により１対１で通信を行う場合、同一時刻には一方からの搬送波送出だけを許可し、通信が確立していれば相手の搬送波送出が停止した後所定時間内に自身が搬送波の送出を開始すれば通信確立状態が継続され、第１通信装置は、通信が確立していなければ、前記所定時間を超える搬送波の無送出状態を確認した後自身による搬送波送出が可能となるプロトコルを採用する。そして、第１通信装置は、通信が未確立の状態から最初に送信するデータ中に送信完了から搬送波送出を停止するまでの時間を規定する情報を配置し、第２通信装置は、前記情報に基づいて受信完了後に搬送波の送出開始タイミングを決定する。
従って、第２通信装置は、搬送波が出力されているか否かを検出するための回路部を備えずとも、第１通信装置より送信された情報に基づいて自身が搬送波の送出を開始するタイミングを適切に決定できるので、前記プロトコルに準拠して通信を行なうことが可能となる。
【０００６】
請求項２記載の通信システムによれば、第１，第２通信装置間で無線信号により１対１で通信を行う場合、同一時刻には一方からの搬送波の送出だけを許可し、通信が確立している場合は、相手の搬送波送出が停止した後所定時間内に自身が搬送波の送出を開始すれば通信の確立状態が継続されるプロトコルを採用する。そして、第１通信装置は、通信未確立の状態から最初に送信するデータ中に、当該送信の完了から搬送波の送出を停止するまでの時間を規定する情報を配置し、第２通信装置は、前記情報に基づいて受信の完了後に搬送波送出を開始するタイミングを決定する。
【０００７】
また、第２通信装置も、最初に送信するデータ中に、当該送信の完了から搬送波の送出を停止するまでの時間を規定する情報を配置し、第１通信装置も、第２通信装置より送信された情報に基づいて、受信の完了後に搬送波の送出を開始するタイミングを決定する。従って、第１，第２通信装置は、何れも搬送波が出力されているか否かを検出するための回路部を備えずとも、夫々第２，第１通信装置より送信された情報に基づいて自身が搬送波の送出を開始するタイミングを適切に決定できるので、前記プロトコルに準拠して通信を行なうことができる。
【０００８】
請求項３記載の通信システムによれば、請求項２と同様のプロトコルを採用するもので、第１通信装置は、通信未確立の状態から最初に送信するデータ中に、当該送信の完了から第２通信装置が搬送波送出を開始するまでの時間を規定する情報を配置すると共に、当該送信の完了後、前記時間の経過前に搬送波の送出を停止する。第２通信装置は、前記情報に基づいて受信の完了後に搬送波送出を開始するタイミングを決定し、最初に送信するデータ中に当該送信の完了から第１通信装置が搬送波の送出を開始するまでの時間を規定する情報を配置すると共に、当該送信の完了後、前記時間の経過前に搬送波の送出を停止する。そして、第１通信装置も、第２通信装置より送信される情報に基づいて受信の完了後に搬送波の送出を開始するタイミングを決定する。
従って、請求項２と同様に、第１，第２通信装置は、何れも搬送波が出力されているか否かを検出するための回路部を備えずとも、夫々第２，第１通信装置より送信された情報に基づいて自身が搬送波の送出を開始するタイミングを決定できるので、前記プロトコルに準拠して通信を行なうことができる。
【０００９】
請求項４記載の通信システムによれば、通信が未確立の状態から何れかの通信装置が相手よりも先に搬送波の送出を開始する場合、前記通信装置は、前記決定した搬送波送出を開始するタイミングに相当する時間と、プロトコルにより規定されている搬送波の送出後に送信を開始しなければならない最大時間との和の期間内にデータを受信したか否かを監視し、データを受信しなかった場合に搬送波の送出を開始する。即ち、前記期間内にデータを受信した場合は、自身以外の２つの通信装置間で通信が確立されている可能性が高いので、搬送波の送出を行わないようにして、それらの通信を妨害することを回避できる。
【発明を実施するための最良の形態】
【００１１】
（第１実施例）
以下、本発明の第１実施例について図１乃至図７を参照して説明する。図６は、本実施例における通信システムの構成を示すものである。即ち、本実施例の通信システムは、基本的に２つの通信装置１，２の間において１対１で無線通信を行うものである。その際、通信には例えば１３．５６ＭＨｚの電磁波が搬送波として使用される。また、通信装置１，２は、原則的にＮＦＣＩＰ−１のプロトコルに準拠するアクティブモードで通信を行うことを前提とする。従って、同一時刻には、通信装置１，２の何れか一方だけが搬送波を送出した状態で通信が行なわれる。
【００１２】
図７は、通信装置１，２の電気的構成を概略的に示す機能ブロック図である。尚、本実施例では、通信装置１，２の少なくとも一方が図７の構成を採用していれば良い。以下では、説明の都合上通信装置２として説明する。通信装置２は、電磁波信号送受信用のアンテナ３、送信回路４、受信回路５、制御用のＣＰＵ６、ＣＰＵ６がデータを外部の例えばホストなどとの間で伝送するための外部インターフェイス（Ｉ／Ｆ）７などを備えて構成されている。
尚、従来構成の通信装置の場合は、図中に破線で示すように、アンテナ３とＣＰＵ６との間に搬送波検出回路８が設けられている。そして、上述したように、通信装置１，２の何れか一方が搬送波検出回路８を備える構成であっても良い。尚、搬送波検出回路８と同様のものは、例えば特許文献１における図４にも開示されている。
【００１３】
送信回路４は、内部で搬送波を発生させ、ＣＰＵ６より出力される送信データに応じて搬送波を例えばＡＳＫ（Amplitude Shift Keying）変調してアンテナ３に出力する。すると、アンテナ３は、被変調信号を電磁波信号として外部に送信する。受信回路５は、アンテナ３が受信した被変調信号を復調処理し、復調データをＣＰＵ６に出力するようになっている。外部インターフェイス７は、例えばＲＳ−２３２Ｃなどに準拠するものである。
尚、通信装置１及び２は、基本的な通信プロトコルについては前述したＮＦＣＩＰ−１に準拠するようにＣＰＵ６の制御プログラムが対応するようになっている。そして、両者間で通信を開始する場合には、図３に示すように何れか一方が最初に属性要求コマンド（ＡＴＲ＿ＲＥＱ）を送信し、そのコマンドを受信した他方が属性応答コマンド（ＡＴＲ＿ＲＥＳ）を返信することで開始されるようになっている。
【００１４】
次に、本実施例の作用について図１乃至図５を参照して説明する。図１は、通信装置１（又は２）のＣＰＵ６が、通信装置２（又は１）より送信されたデータの受信処理を行なう場合の手順を示すフローチャートである。ＣＰＵ６は、受信処理を開始すると、先ず後述する受信完了割り込みのマスクを解除し（ステップＳ１）、受信回路５の内部にある受信データバッファより例えば１バイトの受信データを取得する（ステップＳ２）。それから、相手との通信が確立状態か否かを判断する（ステップＳ３）。
ここで、「通信の確立状態」とは、通信相手との情報交換を一度行った状態（一方からの要求に対して他方が応答を返した状態）で、且つ、その後に何れか一方から通信を終了させる旨のコマンドが送信されていない状態を言うものとする。例えば、ＮＦＣＩＰ−１の規格においては、２つの通信装置間でＡＴＲ＿ＲＥＱ，ＡＴＲ＿ＲＥＳのコマンド交換を行なった後、ＲＬＳ＿ＲＥＱ，ＲＬＳ＿ＲＥＳのコマンド交換を行なうまでの状態を言う。
【００１５】
ステップＳ３において通信が確立状態であれば（「ＹＥＳ」）、次の受信データがあるか否かを判断し（ステップＳ４）、受信データがあれば（「ＹＥＳ」）ステップＳ２に戻って次のデータを取得する。また、ステップＳ３において通信が未確立状態となっていれば（「ＮＯ」）、ステップＳ２で取得したデータが、相手の送信完了から搬送波送出を停止するまでの時間を表すデータ（ＯＦＦ時間インデックスｎ）か否かを判断する（ステップＳ５）。
ステップＳ５において、上記データがＯＦＦ時間インデックスｎでなければ（「ＮＯ」）ステップＳ４に移行し、上記データがＯＦＦ時間インデックスｎであれば（「ＹＥＳ」）そのデータに基づいて、受信処理の完了後に、自身が搬送波の送出を開始するまでの時間Ｔonを決定してから（ステップＳ６）ステップＳ４に移行する。前記時間Ｔonは、ＯＦＦ時間インデックスｎに基づいて設定される時間Ｔoffに、ＮＦＣＩＰ−１におけるＯＦＦ規定時間を加えたものとする。
【００１６】
ここで、図３は、通信装置１，２間における通信（データ交換）シーケンスを示すものであり、（ａ）〜（ｃ）は夫々ＯＦＦ時間情報（インデックスｎ）を送信するタイミングが異なっている。何れも、基本的にはＮＦＣＩＰ−１に準拠した一般的な通信シーケンスを示しており、通信装置１又は２の何れか一方が他方に対して属性要求コマンドを送信することで通信が開始され、それに応じて他方の通信装置が属性応答コマンドを返信すると通信が確立する。それから、両者間で相互にデータ交換が行なわれ、通信装置１又は２の何れか一方が他方に対して終了要求コマンドを送信し、それに応じて他方の通信装置終了応答コマンドを返信すると通信が終了する。また、通信が確立している間は、相手の搬送波送出が停止した後、プロトコルで規定されている所定時間内に自身が搬送波の送出を開始すれば、その通信確立状態が継続されるようになっている。
【００１７】
そして、図３（ａ）は、通信装置１が最初に属性要求コマンドを送信する際に、その送信データ中にＯＦＦ時間情報を付して送信するケースを示しており、図３（ｂ）は、通信装置２が最初に属性要求コマンドを送信し、それに対して通信装置１が通信装置２に属性応答コマンドを返信する際に、その返信データ中にＯＦＦ時間情報を付して送信するケースを示している。また、図３（ｃ）は、通信装置１が最初に属性要求コマンドを送信する際と、それに応じて通信装置２が属性応答コマンドを返信する際に、夫々データ中にＯＦＦ時間情報を付して送信するケースである。
【００１８】
ここで、図３（ａ）（ｂ）のケースでは、通信装置１側は、従来と同様に搬送波検出回路８を備える構成であることを前提とする（この場合、請求項１，２における第１通信装置には通信装置１が対応し、第２通信装置には通信装置２が対応する）。従って、通信装置１が送信を開始する場合には、通信が未確立状態であれば搬送波検出回路８によって搬送波の無送出状態が所定時間を超える間継続したことを確認した後、自身による搬送波送出を行なう。また、図３（ｃ）のケースでは、通信装置１，２の何れも図７に示す構成であることを前提とする。
【００１９】
図４は、通信装置１，２間で送信されるデータのフォーマットである伝文例を示すものであり、（ａ）は属性要求コマンド：ＡＴＲ＿ＲＥＱ，（ｂ）は属性応答コマンド：ＡＴＲ＿ＲＥＳに対応する。これらのフォーマットにおいて、末尾部分のＢＹＴＥ１４〜ＢＹＴＥｎは一般情報（オプショナルデータ）となっており、ユーザが適当に定義して使用することができるようになっている。
そこで、本実施例では、図４（ｃ），（ｄ）に示すように一般情報の冒頭第１〜第３バイトを識別子１〜３と定義し、第４バイトにＯＦＦ時間インデックスｎを配置する。そして、識別子１〜３により、第４バイトがＯＦＦ時間インデックスｎであることを識別させるようにする。また、図４（ｅ）に示すように、ＯＦＦ時間インデックスｎに基づき、上述の時間Ｔoffは、
Ｔoff＝５００＋ｎ×１０（μｓ）      ・・・（１）
として決定する。尚、右辺第１項の５００（μｓ）は、通信装置１（又は２）の処理時間を確保するために加える時間である。
【００２０】
次に、図２（ａ）は、ＣＰＵ６が行なう受信完了割り込み処理の内容を示すフローチャートである。受信完了割り込みは、受信回路５が１バイトのデータ受信を完了する毎に発生する。ＣＰＵ６は、先ず割り込み要因をクリアすると共に割り込みマスクを行い（ステップＳ１１）、それから、ステップＳ６で決定した時間Ｔonに相当するタイマ値を、ＣＰＵ６に対してタイマ割り込みを発生させるタイマ（図示せず）にセットする（ステップＳ１２）。そして、上記タイマを起動すると共にタイマ割り込みのマスクを解除して（ステップＳ１３）受信割り込み処理を終了する。
また、図２（ｂ）は、ＣＰＵ６が行なうタイマ割り込み処理の内容を示すフローチャートである。ＣＰＵ６は、ステップＳ１１と同様に、割り込み要因をクリアすると共に割り込みマスクを行うと（ステップＳ２１）、送信回路４に搬送波の送出を開始させる（ステップＳ２２）。以上でタイマ割り込み処理は終了する。
【００２１】
図５は、図１及び図２のフローチャートに従って処理を行なった結果、通信装置１，２の間で伝送される搬送波の出力状態を波形イメージで示すタイミングチャートである。最初に送信側となる通信装置１は、データ送信の完了後、時間Ｔoffが経過するまでは無変調状態の搬送波を送出し続ける。そして、通信装置１がデータ送信を完了してから時間Ｔonがすると、受信側であった通信装置２が今度は搬送波の送出を開始してデータの送信を行なう。
【００２２】
以上のように本実施例によれば、通信装置１が搬送波検出回路８を備えており、通信が未確立の状態から通信を開始する場合、通信装置１が最初に属性要求コマンドを送信する際に、又は通信装置２が最初に属性要求コマンドを送信し、それに対して通信装置１が属性応答コマンドを返信する際に、そのコマンドと共に送信されるデータ中に、通信装置１が送信完了から搬送波送出を停止するまでの時間を規定するＯＦＦ時間情報（ＯＦＦ時間インデックスｎ）を配置し、通信装置２は、前記情報に基づいて受信完了後に搬送波の送出を開始するタイミングを決定するようにした。従って、通信装置２は、搬送波検出回路８を備えずとも、通信装置１より送信されたＯＦＦ時間情報に基づいて搬送波の送出開始タイミングを決定することができ、通信を行なうことができる。
【００２３】
また、通信装置１，２が何れも搬送波検出回路８を備えておらず、通信が未確立の状態から通信を開始する場合、通信装置１が最初に属性要求コマンドを送信する際、そのコマンドと共に送信されるデータ中に通信装置１が送信完了から搬送波送出を停止するまでの時間を規定するＯＦＦ時間情報を配置し、それに応じて通信装置２が属性応答コマンドを返信する際、そのコマンドと共に送信されるデータ中に通信装置２が送信完了から搬送波送出を停止するまでの時間を規定するＯＦＦ時間情報を配置する。
そして、通信装置２，１は、夫々相手方より送信されたＯＦＦ時間情報に基づいて、受信完了後に自身が搬送波の送出を開始するタイミングを決定するようにした。従って、この場合は通信装置１も搬送波検出回路８を備えておらずとも、通信装置２より送信されたＯＦＦ時間情報に基づいて搬送波の送出開始タイミングを決定することができ、通信を行なうことができる。
【００２４】
（第２実施例）
図８は本発明の第２実施例を示すものであり、第１実施例と同一部分には同一符号を付して説明を省略し、以下異なる部分についてのみ説明する。第２実施例では、第１実施例と同様に構成される通信装置１，２を使用する。図８は図１相当図であり、ステップＳ５，Ｓ６に替えて、ステップＳ７，Ｓ８が配置されている。そして、ステップＳ７において、送信側の通信装置が受信側の通信装置に対して送信するデータには、第１実施例のＯＦＦ時間インデックスｎに替えて、第１実施例における時間Ｔonを直接得るためのＯＮ時間情報（ＯＮ時間インデックスｍ）を付加する。
すると、ステップＳ８では、データ送信の完了から受信側であった通信装置が次回に搬送波送出を開始するまでの時間Ｔonを、例えば以下のように決定し、図示しないメモリに保存する。
Ｔon＝ｍ×１５（μｓ）      ・・・（２）
【００２５】
以上のように第２実施例によれば、通信装置１又は２は、通信が未確立の状態から通信を開始するため、最初に属性要求コマンドを送信する際に、又はその属性要求コマンドの送信に応じて属性応答コマンドを返信する際に、コマンドと共に送信されるデータ中に、送信先の通信装置２又は１が搬送波送出を開始するまでの時間を規定するＯＮ時間情報（ＯＮ時間インデックスｍ）を配置し、通信装置２又は１は、そのＯＮ時間情報に基づいて受信完了後に搬送波の送出を開始するタイミングを決定するようにした。従って、第１実施例と同様の効果が得られると共に、通信装置２又は１は、搬送波の送出開始するタイミングをより容易に決定することができる。
【００２６】
（第３実施例）
図９は本発明の第３実施例を示すものであり、第１実施例と異なる部分についてのみ説明する。第３実施例では、通信装置１，２の間で通信が未確立の状態において、最初に送信を開始しようとする側の処理を示す。先ず、受信の許可状態を設定し（ステップＳ３１）、所定時間が経過するまでの間に、データを受信したか否かを監視する（ステップＳ３２，Ｓ３３）。ここでの「所定時間」とは、その時点で既に送信側より情報を得て決定している搬送波送出を開始するタイミング時間Ｔonと、ＮＦＣＩＰ−１で規定されている、搬送波送出後に送信を開始しなければならない最大時間（ＲＷＴ：４９４９ｍｓ）との和に相当する時間である。
そして、データを受信しないまま所定時間が経過すると（ステップＳ３３，「ＹＥＳ」）自身のデータ送信を許可し（ステップＳ３４）、受信を不許可状態とする（ステップＳ３５）。一方、所定時間が経過する前にデータを受信した場合は（ステップＳ３２，「ＹＥＳ」）、自身以外の他の２つの通信装置の間で通信が行われていることを示すので、送信を不許可として（ステップＳ３６）ステップＳ３５に移行する。
【００２７】
以上のように第３実施例によれば、通信が未確立の状態から何れかの通信装置１，２が相手よりも先に搬送波の送出を開始する場合、前記通信装置は、既に決定した搬送波送出を開始する時間Ｔonと、ＮＦＣＩＰ−１で規定されている搬送波送出後に送信を開始しなければならない最大時間との和の期間内にデータを受信したか否かを監視し、データを受信しなかった場合に搬送波の送出を開始するようにした。従って、自身以外の２つの通信装置間で通信が行われている場合に、それらの通信を妨害することを回避できる。
【００２８】
（第４実施例）
図１０は本発明の第４実施例を示すものであり、第１実施例と異なる部分についてのみ説明する。図１０は図１相当図であるが、ステップＳ５において「ＹＥＳ」と判断すると一般情報の識別子を参照し、受信したＯＦＦ時間インデックスｎの宛先が自身を含むものか否かを判断する（ステップＳ９）。即ち、識別子には、情報の宛先である通信装置のＩＤも含まれているので、その宛先が自身だけを指定するものか、或いは宛先を特定しないものである場合には（「ＹＥＳ」）ステップＳ６に移行する。一方、情報の宛先が自身以外のＩＤである場合には（「ＮＯ」）ステップＳ４に移行する。従って、この場合、受信側の通信装置は搬送波の送出を開始することはない。
以上のように第４実施例によれば、通信装置１又は２は、相手側より送信される情報の宛先が少なくとも自身を含む場合に、当該情報に基づく搬送波の送出を開始するので、通信を開始することが実際には要求されていない場合に搬送波を無用に送出してしまうことを回避できる。
【００２９】
本発明は上記し且つ図面に記載した実施例にのみ限定されるものではなく、以下のような変形又は拡張が可能である。
第１，第２実施例における時間Ｔoff，Ｔonの決定は、（１）式，（２）式に限ることなく、演算式を適宜変更して実施しても良い。例えば送信側が即値データを送信するようにしても良い。
外部インターフェイス７は、必要に応じて設ければ良い。
通信装置が準拠する通信プロトコルは、必ずしもＮＦＣＩＰ−１に限ることなく、少なくとも、同一時刻には一方からの搬送波の送出だけを許可し、通信が確立している場合は、相手の搬送波送出が停止した後所定時間内に自身が搬送波の送出を開始すれば通信の確立状態が継続されることが規定されているものであれば適用が可能である。
【図面の簡単な説明】
【００３０】
【図１】本発明の第１実施例であり、通信装置のＣＰＵが、他の通信装置より送信されたデータの受信処理を行なう場合の手順を示すフローチャート
【図２】（ａ）は、ＣＰＵが行なう受信完了割り込み処理の内容を示すフローチャート、（ｂ）はタイマ割り込み処理の内容を示すフローチャート
【図３】２つの通信装置間における通信シーケンスを示すもので、（ａ）〜（ｃ）は、夫々ＯＦＦ時間情報を送信するタイミングが異なる場合を示す図
【図４】（ａ）は属性要求コマンド、（ｂ）は属性応答コマンド、（ｃ），（ｄ）は夫々（ａ），（ｂ）中の一般情報のデータフォーマットを示す図、（ｅ）は一般情報のデータ内容を説明する図
【図５】通信装置間で伝送される搬送波の出力状態を波形イメージで示すタイミングチャート
【図６】通信システムの構成を示す図
【図７】通信装置の電気的構成を概略的に示す機能ブロック図
【図８】本発明の第２実施例を示す図１相当図
【図９】本発明の第３実施例であり、通信が未確立の状態において、最初に送信を開始しようとする通信装置側の処理を示すフローチャート
【図１０】本発明の第４実施例を示す図１相当図
【符号の説明】
【００３１】
図面中、１，２は通信装置を示す。
【図１】
0004645335.tif 000002
【図２】
0004645335.tif 000003
【図３】
0004645335.tif 000004
【図４】
0004645335.tif 000005
【図５】
0004645335.tif 000006
【図６】
0004645335.tif 000007
【図７】
0004645335.tif 000008
【図８】
0004645335.tif 000009
【図９】
0004645335.tif 000010
【図１０】
0004645335.tif 000011